(57)【要約】【課題】ブッシング間の接続構成を簡素化でき、且つ接続作業を容易化する。【解決手段】密閉形電気機器を互いに隣接して配置した際に、Ｔ形ブッシング２０内の水平導体部２２が密閉容器の幅Ｗと略同一の長さを有することから、各水平導体部２２の先端同士が互いに対向する。よって、各水平導体部２２の先端同士を結合するだけで各Ｔ形ブッシング２０同士を接続できる。【選択図】  図２
2006115636.tif 000002
【特許請求の範囲】
【請求項１】
絶縁性を有する気体が封入された密閉容器に電気機器が収納された密閉形電気機器であって、
前記各密閉容器は、
前記密閉容器内の電気機器と電気的に接続され、鉛直方向に沿った長手方向を有して前記密閉容器の外部に突出した鉛直導体部と、
前記鉛直導体部の上部に接続され、水平方向に長手方向を有し、且つ前記密閉容器の幅と略同一の長さを有する水平導体部と、
前記鉛直導体部及び前記水平導体部からなるＴ形導体を有し、前記Ｔ形導体を絶縁樹脂で被覆するように成型されたＴ形ブッシングと、
を備えたことを特徴とする密閉形電気機器。
【請求項２】
請求項１に記載の密閉形電気機器において、
前記Ｔ形ブッシングは、前記密閉容器の上部中央に複数個が設けられ、当該各Ｔ形ブッシングの水平導体部が互いに平行になるように、前記各Ｔ形ブッシングが密閉容器の奥行き方向に沿って配置されたことを特徴とする密閉形電気機器。
【請求項３】
請求項１又は請求項２に記載の密閉形電気機器を複数台備え、当該各密閉形電気機器が互いに隣接して配置された密閉形電気機器設備であって、
前記各密閉容器のＴ形ブッシングは、前記水平導体部の両方の先端が前記絶縁樹脂から露出されており、
前記Ｔ型ブッシングの外径と略同一の外径を有する半円筒状の一対の導体部材からなり、互いに隣接する水平導体部の先端同士を挟んで結合するためのカップリング導体と、
前記カップリング導体及び前記Ｔ型ブッシングの外径よりも小さい内径を有し、前記カップリング導体及びこのカップリング導体近傍のＴ型ブッシングの一部を被覆するための絶縁ゴムからなる絶縁筒と、
を備えたことを特徴とする密閉形電気機器設備。
【発明の詳細な説明】
【技術分野】
【０００１】
本発明は、密閉形電気機器及び設備に関する。
【背景技術】
【０００２】
近年、受変電設備に設けられる密閉形電気機器は、絶縁ガスにより絶縁耐圧を向上させ、設置スペースの縮小化が図られている。
【０００３】
図７は従来の密閉形電気機器の構成を示す側断面図である。この密閉形電気機器は、外周を軟鋼板で気密に囲まれた箱体からなる密閉容器１の内部に、ＳＦ６ガスなどの絶縁ガスが密封されている。箱体１の上方の室１ａには主回路導体２が収納されている。主回路導体２はその下端が、上方の室１ａ側部に取付けられた断路器３及び接地装置４を介して下方の室１ｂ内部の主回路導体５に電気的に接続されている。これら主回路導体２，５は、がいし６により固定されている。
【０００４】
この主回路導体５は、下方の室１ｂ側部に取付けられた遮断器７及び下方の室１ｂ底部の受電用ケーブルヘッド８ａを介して外部の電力用ケーブル８に電気的に接続される。電力用ケーブル８は、貫通形変流器９により、密閉形電気機器への受電および通電電流が計測される。
【０００５】
一方、主回路導体２の上端は、箱体１の天井部に設けられたＴ形ブッシング１０に電気的に接続されている。以上が図７に示した密閉形電気機器の構成である。
【０００６】
このような密閉形電気機器は、図８の正面図及び図９の平面図に示すように、複数台が設けられ、互いにＴ形ブッシング１０同士が接続母線１１を介して電気的に接続されている。詳しくは、Ｔ形ブッシング１０は、隣接する密閉形電気機器に向けて貫通部が設けられている。この貫通部は、両側からそれぞれ別の接続母線１１の端部が挿入され、各接続母線１１の端部における図示しない接続部を保持している。
【０００７】
続いて、このようなＴ形ブッシング１０及び接続母線１１による接続方式の概要を述べる。例えば図１０（ａ）に示すように、上述した接続母線１１となるケーブル導体を用い、このケーブル導体には、摺動可能な２つの保護カバー１２及び各ストレスコーン部材１３を予めケーブル中央側に配置しておく。各ストレスコーン部材１３は、ケーブル導体の端部をＴ形ブッシング１０Ａ，１０Ｂに固定するためのものであり、ストレスコーン１３ａ、保護金具１３ｂ及びケーブルスペーサ１３ｃから構成されている。また、ケーブル導体のＢ側端部にはアダプタ１４を装着しておく。
【０００８】
次に、図１０（ｂ）に示すように、ケーブル導体のＡ側端部をＴ形ブッシング１０Ａの貫通部に挿入し、一旦、引き戻してケーブル導体のＢ側端部のアダプタ１４をＴ形ブッシング１０Ｂの貫通部に挿入すると共に、Ｂ側のストレスコーン１３ａをＴ形ブッシング１０Ｂの貫通部に押し込む。しかる後、反対側のＡ側端部にもアダプタ１４を装着する。
【０００９】
続いて、Ａ側のストレスコーン１３ａをＴ形ブッシング１０Ａの貫通部に押し込む。また、各ストレスコーン部材１３の各保護金具１３ｂをそれぞれ各Ｔ形ブッシング１０Ａ，１０Ｂにボルトで固定する。
【００１０】
しかる後、図１０（ｃ）〜（ｄ）に示すように、各保護カバー１２をＴ形ブッシング１０Ａ，１０Ｂ側に摺動させて各ケーブルスペーサ１３ｃを覆う。しかる後、ケーブル導体及び保護カバーの一部に粘着ビニールテープを巻いて保護カバーを固定する。
【００１１】
なお、以上のような接続方式は、例えば特許文献１に開示されている。特許文献１によれば、上述したような接続方式において、更に、ストレスコーンを押圧するスプリング等の押圧部材が記載されている。
【特許文献１】特公平１−５６６１２号公報（第４欄第３２行目乃至第５欄第１４行目、第５図）
【発明の開示】
【発明が解決しようとする課題】
【００１２】
以上説明したように従来の密閉形電気機器は、それぞれのＴ形ブッシング間を接続する接続母線１１を必要とする。しかしながら、この接続母線１１は、アダプタ１４、ストレスコーン部材１３及び押圧部材等からなる複雑な構成であるという不都合がある。また、このような複雑な構成に伴い、引き戻し等の複雑な接続作業を必要とする不具合がある。
【００１３】
本発明は上記実情を考慮してなされたもので、ブッシング間の接続構成を簡素化でき、且つ接続作業を容易化し得る密閉形電気機器及び設備を提供することを目的とする。
【課題を解決するための手段】
【００１４】
第１の発明は、絶縁性を有する気体が封入された密閉容器に電気機器が収納された密閉形電気機器であって、前記各密閉容器としては、前記密閉容器内の電気機器と電気的に接続され、鉛直方向に沿った長手方向を有して前記密閉容器の外部に突出した鉛直導体部と、前記鉛直導体部の上部に接続され、水平方向に長手方向を有し、且つ前記密閉容器の幅と略同一の長さを有する水平導体部と、前記鉛直導体部及び前記水平導体部からなるＴ形導体を有し、前記Ｔ形導体を絶縁樹脂で被覆するように成型されたＴ形ブッシングと、を備えている。
【００１５】
第２の発明は、第１の発明の密閉形電気機器を複数台備え、当該各密閉形電気機器が互いに隣接して配置された密閉形電気機器設備であって、前記各密閉容器のＴ形ブッシングは、前記水平導体部の両方の先端が前記絶縁樹脂から露出されており、前記Ｔ型ブッシングの外径と略同一の外径を有する半円筒状の一対の導体部材からなり、互いに隣接する水平導体部の先端同士を挟んで結合するためのカップリング導体と、前記カップリング導体及び前記Ｔ型ブッシングの外径よりも小さい内径を有し、前記カップリング導体及びこのカップリング導体近傍のＴ型ブッシングの一部を被覆するための絶縁ゴムからなる絶縁筒と、を備えている。
【００１６】
（作用）
従って、第１及び第２の発明は、密閉形電気機器を互いに隣接して配置した際に、Ｔ形ブッシング内の水平導体部が密閉容器の幅と略同一の長さを有することから、各水平導体部の先端同士が互いに対向する。よって、各水平導体部の先端同士を結合するだけで各Ｔ形ブッシングを接続できる。このように第１及び第２の発明は、ブッシング間の接続構成を簡素化でき、且つ接続作業を容易化することができる。
【発明の効果】
【００１７】
以上説明したように本発明によれば、ブッシング間の接続構成を簡素化でき、且つ接続作業を容易化することができる。
【発明を実施するための最良の形態】
【００１８】
以下、本発明の一実施形態について図面を参照しながら説明する。  
図１乃至図３は本発明の一実施形態に係る密閉形電気機器設備の正面図、平面図及び側面図であり、図４は同機器のＴ形ブッシング及びその接続構成を示す断面図であり、図５は同接続構成及び絶縁筒の構成を示す断面図であり、図６は同設備のカップリング導体及び接続作業を説明するための模式図であって、図７乃至図９と同一部分には同一符号を付してその詳しい説明を省略し、ここでは異なる部分について主に述べる。
【００１９】
すなわち、本実施形態は、Ｔ形ブッシングを簡素な構成にすることにより、ブッシング間の接続構成を簡素化でき、且つ接続作業を容易化できるものである。
【００２０】
具体的には、各Ｔ形ブッシング２０は、図１〜図３に示すように、各密閉容器１の上部中央に３個が設けられ、当該各Ｔ形ブッシング２０の水平導体部２２が互いに平行になるように、各Ｔ形ブッシング２０が密閉容器１の奥行き方向に沿って配置されている。補足すると、Ｔ形ブッシング２０の水平導体部２２の長手方向は、隣接する電気機器間を結ぶ直線に平行となっている。密閉容器１の奥行き方向は、隣接する電気機器間を結ぶ直線とは直交する方向を意味している。また、各Ｔ形ブッシング２０同士の接続部分は絶縁筒３０で被覆されている。Ｔ形ブッシング２０の終端部分は、絶縁筒３０と同様な構成で一端を封止した絶縁栓４０で被覆されている。
【００２１】
Ｔ形ブッシング２０は、図４に示すように、鉛直導体部２１及び水平導体部２２からなるＴ形導体を有し、Ｔ形導体をエポキシ樹脂等の絶縁樹脂２３で被覆するように成型されており、絶縁樹脂２３上には導電接地層２４が形成されている。なお、Ｔ形ブッシング２０は、密閉容器１の気密性を維持するように、密閉容器１の天井部にＯリング２５を介して固定されている。
【００２２】
鉛直導体部２１は、密閉容器１内の主回路導体２と電気的に接続され、鉛直方向に沿った長手方向を有して密閉容器１の外部に突出している。
【００２３】
水平導体部２２は、鉛直導体部２１の上部に接続され、水平方向に長手方向を有し、且つ密閉容器１の幅と略同一の長さを有している。水平導体部２１の両方の先端は、絶縁樹脂２３から露出されている。
【００２４】
絶縁筒３０は、図５に示すように、カップリング導体５０及びこのカップリング導体５０近傍のＴ型ブッシング２０の一部を被覆するように絶縁ゴム３１から構成され、カップリング導体５０及びＴ型ブッシング２０に対する密着性を向上させる観点から、カップリング導体５０及びＴ型ブッシング２０の外径よりも小さい内径を有している。これに加え、絶縁筒３０は、被覆する位置がずれないように、両端がリング状の接続部品３４によりＴ形ブッシング２０に固定されている。
【００２５】
絶縁筒３０の断面構造としては、絶縁ゴム３１の内面側には選択的に複数の導電層３２が形成されており、絶縁ゴム３１の外表面には導電接地層３３が形成されている。各導電層３２のうち、ある導電層３２は、カップリング導体５０の高電界を緩和させる観点からカップリング導体５０を覆うように絶縁筒３０の内側中央部に形成されている。他の導電層３２は、絶縁筒３０の導電接地層３３とＴ形ブッシング２０の導電接地層２４との導通を良くする観点から、絶縁筒３３の内側端部に形成されている。
【００２６】
絶縁栓４０は、Ｔ型ブッシング２０の終端を被覆するための絶縁ゴムから構成されており、絶縁筒３０と同様に、端部がリング状の接続部品によりＴ形ブッシング２０に固定されている。また、絶縁栓４０は、絶縁筒３０と同様に、絶縁ゴムの内面側には選択的に導電層が形成されており、絶縁ゴムの外表面には導電接地層が形成されている。
【００２７】
カップリング導体５０は、図６（ａ）及び図６（ｂ）に示すように、Ｔ型ブッシング２０の外径と略同一の外径を有する半円筒状の一対の導体部材５２ａ，５２ｂからなり、互いに隣接する水平導体部２２の先端同士を挟んで結合した状態でボルト等の接続部品５１により固定するものである。なお、カップリング導体５０は、水平導体部２２の先端同士を固定した後、図６（ｃ）に示すように、絶縁筒３０に密着して被覆されることは前述した通りである。
【００２８】
以上のような構成によれば、密閉形電気機器を互いに隣接して配置した際に、Ｔ形ブッシング２０内の水平導体部２２が密閉容器１の幅Ｗと略同一の長さを有することから、各水平導体部２２の先端同士が互いに対向する。よって、各水平導体部２２の先端同士を結合するだけで各Ｔ形ブッシング２０同士を接続できる。このように本実施形態によれば、ブッシング間の接続構成を簡素化でき、且つ接続作業を容易化することができる。
【００２９】
補足すると、本実施形態は、図１０（ａ）〜（ｄ）に示したような短い幅のＴ形ブッシング１０Ａ，１０Ｂに接続母線１１を挿入する従来の接続構成及び接続作業とは異なり、図６（ａ）〜図６（ｃ）に示したように、密閉容器１と同等の幅Ｗを有するＴ形ブッシング２０同士の先端をカップリング導体５０で結合する接続構成及び接続作業であるため、接続構成を簡素化でき、且つ接続作業を容易化できる。
【００３０】
詳しくは、本実施形態は、従来のアダプタ１４、ストレスコーン部材１３及び押圧部材等からなる接続母線１１といった複雑な構造を不要にしたので、接続構成を簡素化することができる。また、本実施形態は、従来の引き戻し等といった複雑な接続作業を不要にしたので、接続作業を容易化することができる。
【００３１】
また、絶縁筒３０は、カップリング導体５０及びＴ型ブッシング２０の外径よりも小さい内径を有するため、カップリング導体５０及びＴ型ブッシング２０に対する密着性を向上させることができる。
【００３２】
なお、本願発明は、上記実施形態そのままに限定されるものではなく、実施段階ではその要旨を逸脱しない範囲で構成要素を変形して具体化できる。また、上記実施形態に開示されている複数の構成要素の適宜な組合せにより種々の発明を形成できる。例えば、実施形態に示される全構成要素から幾つかの構成要素を削除してもよい。更に、異なる実施形態に亘る構成要素を適宜組合せてもよい。
【図面の簡単な説明】
【００３３】
【図１】本発明の一実施形態に係る密閉形電気機器設備の正面図である。
【図２】同実施形態における密閉形電気機器設備の平面図である。
【図３】同実施形態における密閉形電気機器設備の側断面図である。
【図４】同実施形態におけるＴ形ブッシング及びその接続構成を示す断面図である。
【図５】同実施形態における接続構成及び絶縁筒の構成を示す断面図である。
【図６】同実施形態におけるカップリング導体及び接続作業を説明するための模式図である。
【図７】従来の密閉形電気機器設備の側断面図である。
【図８】従来の密閉形電気機器設備の正面図である。
【図９】従来の密閉形電気機器設備の平面図である。
【図１０】従来の接続作業を説明するための模式図である。
【符号の説明】
【００３４】
２０…Ｔ形ブッシング、２１…鉛直導体部、２２…水平導体部、２３…絶縁樹脂、２４…導電接地層、２５…Ｏリング、５０…カップリング導体、５２ａ，５２ｂ…導体部材、３０…絶縁筒、３１…絶縁ゴム、３２…導電層、３３…導電接地層、３４，５１…接続部品、Ｗ…幅。
【図１】
2006115636.tif 000003
【図２】
2006115636.tif 000004
【図３】
2006115636.tif 000005
【図４】
2006115636.tif 000006
【図５】
2006115636.tif 000007
【図６】
2006115636.tif 000008
【図７】
2006115636.tif 000009
【図８】
2006115636.tif 000010
【図９】
2006115636.tif 000011
【図１０】
2006115636.tif 000012